(57)【要約】本発明は、穿孔（４８）内にモルタル（５０）を用いて固定するための複合アンカ（１０）に関する。本発明では、複合アンカ（１０）のアンカロッド（１２）が、固定区分（２８）にアンカコーン（３０）を備え、拡開スリーブ（３４）を拡開するために拡開スリーブ（３４）内に引込み可能な拡開コーン（４２）を前端部に備え、かつ拡開スリーブ（３４）を長手方向において貫通するモルタル通路（４４）を備えて形成されており、複合アンカ（１０）のセット時に、アンカロッド（１２）が、予め穿孔（４８）内に入れられたモルタル（５０）を、モルタル通路（４４）を通して後方に向かって押し退け、その結果モルタルが、アンカロッド（１２）を取り囲む被覆空間を、固定すべき対象物（５２）における貫通孔（５４）をも含めて完全に満たす。
2006504884.tif 000002
【特許請求の範囲】
【請求項１】
穿孔内にモルタルを用いて固定するための複合アンカであって、アンカロッドが設けられており、該アンカロッドが後端部に、対象物を固定する装置を有し、かつ後端部と前端部との間の固定区分に、前端部に向かって拡がる少なくとも１つの横断面拡大部を有している形式のものにおいて、アンカロッド（１２）の前端部に、拡開スリーブ（３４，３４ａ）と拡開体（４２）とによって形成された拡開領域が配置されており、該拡開領域が、アンカロッド（１２）の長手方向に延在するモルタル通路（４４）を有していることを特徴とする複合アンカ。
【請求項２】
モルタル通路（４４）が、アンカロッド（１２）に設けられた長手方向に延在する溝によって形成されている、請求項１記載の複合アンカ。
【請求項３】
モルタル通路（４４）が、拡開スリーブ（３４，３４ａ）の長手方向に延在する連続したスリットによって形成されている、請求項１記載の複合アンカ。
【請求項４】
拡開スリーブ（３４ａ）が、拡開体（４２）の上にスナップ結合可能な２つの拡開脚（６０）から成っていて、両拡開脚（６０）が端面側においてウェブ（６２）を介して互いに結合されている、請求項１記載の複合アンカ。
【請求項５】
拡開脚（６０）の外側面に突起形状の係止エレメント（６４）が配置されている、請求項４記載の複合アンカ。
【請求項６】
複合アンカ（１０）が、固定すべき対象物（５２）に装着するための孔付円板（２０）を有していて、該孔付円板（２０）がモルタル流出開口（２４）を有している、請求項１記載の複合アンカ。
【請求項７】
孔付円板（２０）が鍵穴形状の孔（２２）を有している、請求項６記載の複合アンカ。
【請求項８】
孔付円板（２０）の端面が接着剤を有している、請求項６記載の複合アンカ。
【発明の詳細な説明】
【技術分野】
【０００１】
本発明は、請求項１の上位概念部に記載の形式の、穿孔内にモルタルを用いて固定するための複合アンカ（Verbundanker）に関する。
【０００２】
このような形式の複合アンカはドイツ連邦共和国特許公開第１９７１２４２５号明細書に基づいて公知である。この公知の複合アンカは、固定区分を備えたアンカロッドを有しており、アンカロッドは固定区分に複数箇所で円錐台形状に、アンカロッドの前端部に向かって拡大している。アンカロッドはその後端部に雄ねじ山を備えており、この雄ねじ山は、対象物を固定するための装置を形成している。対象物を固定するためには別の装置を設けることも可能である。穿孔内における固定のために公知の複合アンカはその固定区分を先頭にして穿孔内に挿入されるが、この穿孔内には予め所定量のモルタルが装入されている。固定区分はまず初めモルタルを穿孔底部に向かって押し込み、次いでモルタルを押し退け、その結果モルタルは、アンカロッドを取り囲む穿孔内の被覆空間において分配移動させられ、穿孔内において複合アンカを固定する。モルタルが硬化した後で、固定すべき対象物が、穿孔から突出したアンカロッドの後端部に装着され、螺合させられたナットによって緊締される。ナットはその引き締めによる緊締によって、引張り力をアンカロッドに対して加え、この引張り力は、アンカロッドの横断面拡大部によってモルタルに対して拡開圧を生ぜしめる。これによって穿孔内における複合アンカの固定力が改善されている。例えば亀裂形成によって穿孔が拡大した場合には、アンカロッドの横断面拡大部は、アンカロッドに引張り力を加えることによってモルタルを拡大させ（いわゆる後拡開（Nachspreizen））、これにより複合アンカは穿孔内において固定状態を維持する。しかしながら公知の複合アンカでは、複合アンカに対する負荷は、モルタルの硬化後においてしか可能にならない。
【０００３】
ゆえに本発明の課題は、冒頭に述べた形式の複合アンカを改良して、対象物を直ちに固定することができる複合アンカを提供することである。
【０００４】
この課題を解決するために本発明では、請求項１の特徴部に記載のように構成されている。
【０００５】
本発明による複合アンカのアンカロッドは拡開体を有しており、拡開体の前端部には拡開スリーブが設けられている。その後ろにアンカロッドは、前端部に向かって拡がる例えば円錐台形状の横断面拡大部を備えた少なくとも１つの固定区分を有している。複合アンカの固定時に拡開体は拡開スリーブ内に引き込まれ、その際に拡開スリーブを拡開させ、複合アンカを穿孔内において固定する。これによって本発明による複合アンカは、既にモルタルの硬化前に穿孔内において固定され、そしてセット後直ちに負荷可能となる。本発明による複合アンカはさらに、拡開領域を長手方向で貫通しているモルタル通路を有している。このモルタル通路を通って、複合アンカの挿入前に穿孔内に入れられていて穿孔内への複合アンカの挿入によって押し退けられるモルタルが、後方に穿孔開口に向かって拡開領域を貫いて移動する。この際にモルタルは穿孔内において分配移動し、アンカロッドを取り囲む穿孔の被覆空間を満たす。また、モルタルがアンカロッドを取り囲む固定すべき対象物の貫通孔における被覆空間を満たすような量のモルタルを、穿孔に装入することも可能である。固定すべき対象物は、穿孔への複合アンカの挿入前に、穿孔が形成されている固定ベースに装着され、固定すべき対象物には、穿孔と合同の貫通孔が設けられている。
【０００６】
拡開領域を貫通するモルタル通路には、モルタルを穿孔内への複合アンカの挿入前に入れることができるという利点がある。これによってモルタルの装入が簡単になり、つまりモルタルは例えば、注入ピストルを用いて入れることも、又は調量されたモルタル量を内蔵するアンプルの挿入によって入れることも可能であり、後者の場合には挿入されたアンプルは複合アンカの挿入によって破壊される。本発明による複合アンカによって、アンカロッドを取り囲む穿孔における被覆空間を穿孔の開口まで完全に満たし、かつ固定すべき対象物の貫通孔における被覆空間をも完全に満たすことができるが、これによって、遊びのない横方向支持が達成されるというさらなる利点が得られる。そしてこれにより、本発明による複合アンカの横方向における動的な許容負荷が改善される。拡開スリーブを備えた拡開体と、アンカロッドの固定区分における少なくとも１つの横断面拡大部とは、後拡開特性とを有しており、その結果本発明による複合アンカは穿孔が拡がった時でも、穿孔内にしっかりと固定されたままになる。アンカロッドの前端部に配置された拡開スリーブの別の利点としては、拡開スリーブが固定ベースの表面から間隔をおいていることが挙げられる。拡開された拡開スリーブによって加えられる拡開圧による剥離は、これによって回避される。
【０００７】
モルタル通路は例えば、アンカロッドにおいて長手方向に延在する単数又は複数の溝によって形成することができる。このような溝は必ずしも真っ直ぐに延びている必要はなく、溝は例えば波形に形成されていてもよい。
【０００８】
モルタル通路を形成する別の可能性としては、拡開スリーブに、長手方向に延在する連続したスリットを設けることが挙げられる。このことは例えば、拡開スリーブの形成によって行うことができ、この場合拡開スリーブは、拡開体の上にスナップ結合可能な２つの拡開脚から成っていて、両拡開脚は端面側においてウェブを介して互いに結合されている。それぞれ拡開体の周面のほぼ１／４を取り囲む両拡開脚は、アンカロッドの前端部から拡開体に被せ嵌められる。拡開スリーブの金属薄板厚さは、ほぼ拡開体の外面と穿孔壁との間の間隙に相当している。これによってそれぞれ拡開脚の長手方向縁部の間には、モルタル通路が生ぜしめられ、このモルタル通路を通ってモルタルは、穿孔への導入時に後方の固定区分内へと上昇することができる。拡開脚の外面に配置された突起状の係止エレメントによって、拡開スリーブはアンカロッドの引込み時にしっかりと穿孔内に保持され、その結果拡開コーンは拡開脚を半径方向で穿孔壁に向かって押圧し、これにより複合アンカの機械的な固定が生ぜしめられる。
【０００９】
本発明の別の構成では、モルタル流出開口を備えた孔付円板が設けられており、この孔付円板は、固定された状態でアンカロッドの後端部によって貫通されていて、固定すべき対象物の、固定ベースとは離れている外側面に装着されている。複合アンカのセット時にアンカロッドによって穿孔から押し退けられたモルタルが、孔付円板のモルタル流出開口から流出すると、固定すべき対象物の貫通孔及び穿孔における、アンカロッドを取り囲む被覆空間をモルタルによって完全に満たすことが保証される。そしてこのようなモルタル流出開口を備えた孔付円板を用いることにより、穿孔及び貫通孔がモルタルによって完全に満たされたか否かを監視することができる。
【００１０】
本発明の別の構成では、孔付円板に鍵穴形状の孔が設けられており、つまり外周部の１箇所に半径方向の拡大部を備えた中心孔が設けられている。このような孔付円板は簡単に製造可能であり、固定すべき対象物における貫通孔とモルタル流出開口との連通を保証する。
【００１１】
本発明のさらに別の構成では、孔付円板が接着剤を有する端面を備えており、この端面で孔付円板は固定すべき対象物に接着することができる。これによって、アンカロッドなしに、固定すべき対象物に孔付円板を固定することが可能になる。さらに孔付円板は、アンカロッドの後端部に螺合されるナットの引き締めなしに、固定すべき対象物に対して保持される。このように構成されていることによって、穿孔内への複合アンカの挿入により、穿孔から押し退けられたモルタルは孔付円板を固定すべき対象物から持ち上げ、この動作は、ナットがアンカロッドにおいてまだ引き締められない間において、継続する。
【００１２】
次に図面を参照しながら本発明の実施例を説明する。
【００１３】
図１は、本発明による複合アンカのセット時における状態を示す図、
図２は、図１に示された複合アンカのアンカロッドを押し込んだ状態を示す図、
図３は、図１及び図２に示された複合アンカの孔付円板を示す正面図、
図４は、本発明による複合アンカの別の実施例を示す側面図、
図５は、図４に示された複合アンカを示す正面図である。
【００１４】
図１に示された本発明による複合アンカ１０は、アンカロッド１２を有しており、このアンカロッド１２はその後端部にねじ山１４を備えている。このねじ山１４にはナット１６がルーズに螺合されている。前方に向かってねじ山１４の次には、平滑な壁をもつシャフト区分１８が続いており、このシャフト区分１８には、図３に示された孔付円板２０が配置されている。孔付円板２０は鍵穴状の孔２２を有している。孔２２は外周箇所に半径方向に延びる拡大部を有しており、この拡大部はモルタル流出開口２４を形成している。アンカロッド１２に孔付円板２０が配置されている場合に、モルタル流出開口２４はアンカロッド１２のそばで側部に位置している。孔付円板２０の一方の端面には、両面接着性の接着シート２６が接着されており、この接着シート２６は図示されていない保護シートによってカバーされていて、汚れを防止されている。孔付円板２０の前記端面はつまりこれによって接着剤付きである。
【００１５】
前方に向かって、アンカロッド１２の平滑な壁をもつシャフト区分１８には、固定区分２８が接続している。本発明の図示及び記載の実施例では固定区分２８は、アンカロッド１２の前端部に向かって拡大していて軸方向に相前後して位置する５つのアンカコーン３０を有している。最前位のアンカコーン３０は、ストッパ肩部３２を形成するリング段部で、図示されていない平滑な壁をもつシャフト区分に移行しており、このシャフト区分には拡開スリーブ３４が配置されている。拡開スリーブ３４は長手方向スリット３６によって拡開舌片３８に分割されている。拡開スリーブ３４は自体公知のロック兼再フックエレメント４０を有している。拡開スリーブ３４の前端部の領域にアンカロッド１２は、アンカロッド１２の前端部に向かって拡大していて拡開コーン４２として形成された拡開体を有している。拡開コーン４２は拡開スリーブ３４と共に拡開領域を形成している。拡開スリーブ３４内への拡開コーン４２の引込みによって、拡開スリーブ３４は拡開され、複合アンカ１０を穿孔内において固定する。
【００１６】
アンカロッド１２は複数の溝を有しており、これらの溝はアンカロッド１２の前端部において始まっていて、拡開コーン４２と、該拡開コーン４２に接続していて拡開スリーブ３４によって覆われている平滑な壁のシャフト区分とストッパ肩部３２とを貫通しており、第１のアンカコーン３０の円錐面において終わっている。これらの溝は、拡開領域３４を長手方向において貫通するモルタル通路４４を形成している。
【００１７】
拡開スリーブ３４の外径は、拡開されていない状態において、アンカコーン３０の最大直径よりも大きく、アンカコーン３０の後ろに続く平滑な壁のシャフト区分１８の直径及びアンカロッド１２の後端部におけるねじ山１４の直径よりも大きい。
【００１８】
本発明による複合アンカ１０を例えば壁のような固定ベース４６に固定するために、穿孔４８が固定ベース４６に穿孔される。次いでモルタル５０が穿孔４８内に例えば注入によってもたらされるか、又は破壊可能なアンプル（図示せず）を用いて穿孔４８内にもたらされる。モルタル５０が図１におけるように穿孔４８の底部にもたらされる必要はない。次いで又は穿孔４８内にモルタル５０を入れる前に、固定すべき対象物５２が固定ベース４６に装着され、その結果固定すべき対象物５２における貫通孔５４は、穿孔４８と合同になる。
【００１９】
本発明による複合アンカ１０は、その前端部を先頭にして、固定すべき対象物５２における貫通孔５４を通して穿孔４８内に挿入される。この際にアンカロッド１２の前端面は、まず初めモルタル５０を穿孔底部（図１）に向かって移動させる。場合によって設けられている、モルタル５０を内蔵するアンプルが破壊される。穿孔４８内へのアンカロッド１２の挿入前又は挿入中に、図示されていない保護シートを剥がした後で、孔付円板２０の接着剤を有する端面が、固定すべき対象物５２に接着される。
【００２０】
穿孔４８内にアンカロッド１２をさらに挿入すると、アンカロッド１２はモルタル５０を押し退け、モルタル５０はモルタル通路４４から拡開スリーブ３４を通って、後方に向かって穿孔４８の開口へと流れる。この場合、モルタル５０がアンカロッド１２を取り囲む穿孔４８及び貫通孔５４の被覆空間を、固定すべき対象物５２において完全に満たすように、モルタル量５０は設定され、かつそのような深さまでアンカロッド１２は穿孔４８内にもたらされる。アンカロッド１２を取り囲む被覆空間が満たされたということは、孔付円板２０のモルタル流出開口２４を通って流れ出るモルタル流出５６（図２）によって認識及び検査可能である。次いでナット１６の回転及び引き締めによって拡開コーン４２が拡開スリーブ３４に引き込まれる。拡開スリーブ３４はこれによって拡開され、複合アンカ１０を固定ベース４６内において固定する。そして複合アンカ１０は直ちに負荷可能である。モルタル５０の硬化を待つ必要はない。完全な硬化後にモルタル５０はアンカロッド１２を穿孔４８内においてその開口に到るまで支持する。さらにモルタル５０は、固定すべき対象物５２をアンカロッド１２に支持する。これによって固定すべき対象物５２は横方向負荷に対して遊びなしに支持され、ひいては複合アンカ１０の動的な許容負荷が高められる。
【００２１】
アンカコーン３０と拡開コーン４２とによって、本発明による複合アンカ１０は後拡開特性（Nachspreizverhalten）を有している。すなわち例えば亀裂形成に基づく穿孔４８の拡大時に、ナット１６によって引張り負荷を加えることによって、アンカロッド１２は押されて移動し、これによって拡開コーン４２をより深く拡開スリーブ３４内に引き込み、そして拡開スリーブ３４をセット後に付加的にさらに拡開することができる。同じ意味を持つ効果はアンカコーン３０の領域においても発生し、アンカコーン３０は該アンカコーン３０を取り囲むモルタル５０を押し広げ、これによってモルタル５０によって生ぜしめられる、アンカロッド１２と穿孔４８もしくは固定ベース４６との結合がしっかりと維持される。
【００２２】
図４及び図５に示された複合アンカ１０の実施例は、拡開スリーブ３４ａを有しており、この拡開スリーブ３４ａは、拡開体である拡開コーン４２にクリップ結合もしくはスナップ結合可能な２つの拡開脚６０から成っている。両方の脚６０は、端面側においてウェブ６２を介して互いに結合されている。拡開脚６０の外側面には突起状の係止エレメント６４が配置されており、これらの係止エレメント６４は拡開スリーブ３４ａを、アンカロッド１２の引込み時に穿孔内に不動に保持して、複合アンカ１０の機械的な固定を達成する。両拡開脚６０はそれぞれ拡開体４２をその周面の約１／４取り囲んでいる。これによって両拡開脚６０の長手方向縁部６６の間には、穿孔内へ押込み後に間隙が残り、この間隙を通ってモルタルは後方の固定区分２８に向かって上昇することができる。機械的な事前固定が不要な場合には、拡開スリーブ３４ａのクリップ状の構成は、拡開体からの拡開スリーブの取外しを可能にする。
【図面の簡単な説明】
【００２３】
【図１】本発明による複合アンカのセット時における状態を示す図である。
【図２】図１に示された複合アンカのアンカロッドを押し込んだ状態を示す図である。
【図３】図１及び図２に示された複合アンカの孔付円板を示す正面図である。
【図４】本発明による複合アンカの別の実施例を示す側面図である。
【図５】図４に示された複合アンカを示す正面図である。
【図１】
2006504884.tif 000003
【図２】
2006504884.tif 000004
【図３】
2006504884.tif 000005
【図４】
2006504884.tif 000006
【図５】
2006504884.tif 000007
【国際調査報告】
2006504884.tif 000008
2006504884.tif 000009
2006504884.tif 000010
2006504884.tif 000011
2006504884.tif 000012
2006504884.tif 000013